(57)【要約】【課題】デジタル放送信号中に含まれるオフセット時間情報を用いて、実際の切り替わりタイミングにできるだけ近いタイミングで正確なサマータイム対応の時刻表示を行う。【解決手段】デジタル放送信号を選局して受信する受信部１０１と、受信したトランスポートストリームから時刻情報を分離する信号分離部１０２と、時刻情報からオフセット時間情報を抽出するオフセット時間抽出部１０５と、時刻表示を制御する表示制御部１０９と、オフセット時間情報を記憶する時間記憶部１０７と、オフセット時間情報の最新情報と時間記憶部に記憶された直前のオフセット時間情報とを比較し、変化があった場合には変化信号を出力する時間比較部１０６と、を備え、表示制御部１０９は、受信部１０１により選局可能な複数放送局のデジタル放送信号のいずれか１つにおいて変化信号が出力された場合に、サマータイムの開始または終了と判定する。【選択図】図１
2010252130.tif 000002
【特許請求の範囲】
【請求項１】
時刻情報を含むデジタル放送信号を選局して受信し、トランスポートストリームを出力する受信部と、
前記トランスポートストリームから前記時刻情報を分離する信号分離部と、
分離された前記時刻情報からオフセット時間情報を抽出するオフセット時間抽出部と、
抽出された前記オフセット時間情報を用いて時刻表示を制御する表示制御部と、
抽出された前記オフセット時間情報を放送局ごとに記憶する時間記憶部と、
放送局ごとに、抽出された前記オフセット時間情報の最新情報と前記時間記憶部に記憶された直前のオフセット時間情報とを比較し、変化があった場合には変化信号を出力する時間比較部と、を備え、
前記表示制御部は、前記受信部により選局可能な複数放送局のデジタル放送信号のいずれか１つにおいて前記変化信号が出力された場合に、サマータイムの開始または終了と判定し、前記オフセット時間情報をいずれの放送局の受信時においても時刻表示に反映することを特徴とするデジタル放送受信装置。
【請求項２】
前記表示制御部は、前記受信部により受信可能な全ての放送局のデジタル放送信号中のいずれか１つにおいて前記変化信号が検出された場合に、サマータイムが開始または終了したと判定することを特徴とする請求項１に記載のデジタル放送受信装置。
【請求項３】
前記表示制御部は、前記受信部により受信可能なすくなくとも２つ以上の放送局のデジタル放送信号中において前記変化信号が検出された場合に、サマータイムが開始または終了したと判定することを特徴とする請求項１に記載のデジタル放送受信装置。
【請求項４】
デジタル放送信号の受信地域におけるサマータイム関連情報をあらかじめ記憶させた関連情報記憶部をさらに備え、
前記表示制御部は、前記オフセット時間抽出部により抽出された前記オフセット時間情報が、前記関連情報記憶部の該当データと矛盾する場合には、前記オフセット時間情報を用いないことを特徴とする請求項１〜３のいずれか１項に記載のデジタル放送受信装置。
【請求項５】
時刻情報を含むデジタル放送信号を選局する選局ステップと、
前記時刻情報からオフセット時間情報を抽出するオフセット時間抽出ステップと、
抽出された前記オフセット時間情報を放送局ごとに記憶する時間記憶ステップと、
抽出された前記オフセット時間情報の最新情報と前記時間記憶ステップが記憶した直前のオフセット時間情報とを比較し、変化があった場合には変化信号を出力する時間比較ステップと、
選局可能な複数放送局のデジタル放送信号のいずれか１つにおいて前記変化信号が出力された場合に、サマータイムの開始または終了と判定し、前記オフセット時間情報をいずれの放送局の受信時においても時刻表示に反映する表示制御ステップと、
を含んだことを特徴とするデジタル放送受信方法。
【発明の詳細な説明】
【技術分野】
【０００１】
本発明は、サマータイムを採用する地域で使用されるデジタル放送受信装置およびデジタル放送受信方法に関する。
【背景技術】
【０００２】
照明用電力の消費低減などを目的としたサマータイム（夏時間）制度は多数の国ですでに導入されており、日本でもその導入のための議論が行われている。言うまでもなく、サマータイムとは、日の出時刻が早い夏季を中心に数ヶ月の間、通常の時期の時刻設定（以下、「通常時間」という）に対して時刻を、例えば１時間早めて、社会活動全体を１時間早めて行わせようとするものである。それにより、例えば人々の平均就寝時刻が１時間早まれば、夜間の照明用電力が１時間短くなり、結果として社会全体（国あるいは国の中の所定の地域）の照明用電力や空調用電力を１時間分節約できるという効果が期待できる。
【０００３】
前述の通りサマータイムは多数の国ですでに導入されており、例えば米国では、開始日が４月の第１日曜、終了日が１０月最終日曜となっており、７ヶ月弱の期間が該当する。
【０００４】
一方、最近のテレビ受信機、特にデジタル放送受信装置においては、画面上に時計表示をさせたり、電子番組表（以下、「ＥＰＧ」ともいう。）を表示させる機能を有したものが大半である。この際に前述のサマータイムを反映した表示にする必要がある。
【０００５】
デジタル放送受信装置における時計表示にサマータイムを反映させる最も代表的な手法は、万年カレンダーを使用する方法である。万年カレンダーとは、今後十分長期の期間（例えば１００年間）について、うるう年やサマータイムなどの特殊条件をあらかじめメモリに蓄えておき、それを読み出すことによって、特に判断や外部入力を用いずに正しい日付、時刻表示をさせるものである。この万年カレンダーを用いてＥＰＧを正しく表示させる方法が提案されている（例えば、特許文献１を参照）。
【先行技術文献】
【特許文献】
【０００６】
【特許文献１】特許第３９３７１５３号公報
【発明の概要】
【発明が解決しようとする課題】
【０００７】
前述のように、万年カレンダーをデジタル放送受信装置に内蔵させることによって、サマータイムに対応した時刻表示を正確に行わせることが可能であるが、実用面では下記の課題が存在する。
【０００８】
周知の通り、サマータイムは国ごとに導入・未導入が異なること、同じ国内においても複数の地域にタイムゾーン（時刻地域帯）を有しており、異なった時差やサマータイム導入が行われていることがある。また、それぞれの国、地域において、サマータイムの開始日、終了日、開始時間、終了時間が異なる。さらに、サマータイムをこれから導入検討、逆に廃止検討の国、地域がある。このような理由により、万年カレンダーに全ての情報をあらかじめ書き込んでおくことは事実上不可能である。
【０００９】
そこで、各国、各地域におけるサマータイム運用の最新状態をほぼリアルタイムで把握する方法として、デジタル放送信号内の時刻関連情報の利用が考えられる。例えば日本の地上波デジタルテレビ放送においては、放送番組の映像音声信号に対して付加的に伝送されるＰＳＩ（Ｐｒｏｇｒａｍ  Ｓｐｅｃｉｆｉｃ  Ｉｎｆｏｒｍａｔｉｏｎ：番組特定情報）の中で、ＴＯＴ（Ｔｉｍｅ  Ｏｆｆｓｅｔ  Ｔａｂｌｅ：時間オフセットテーブル）が送られる。このＴＯＴを読み取ることによって、デジタル放送受信装置は、その地域でのサマータイムがいつから行われ、しかも同一国内に複数の時間帯が存在するときに国内時差も含めて表示すべき時刻がいずれの方向に何時間ずれるのかを把握することができる。
【００１０】
各国の地上波デジタルテレビ放送においても、このＴＯＴと同様の情報が伝送されており（以下、それらを総称して「ＴＯＴ等」という）、デジタル放送受信装置がＴＯＴ等を頻繁に（数秒に１度）読みに行けば、どの国のどの地域のサマータイムも迅速にかつ正確に時刻表示に反映することが可能になる。
【００１１】
しかしながら、このＴＯＴ等の運用は世界的に見れば、各放送局の自主性にまかされており、実際のサマータイムの切り替わりタイミングが正確に更新されている保証がなく、本来のタイミングから遅れて更新されることもありうる。また極端な場合は、その更新を行わない放送局も存在する。したがって、特定の放送局のＴＯＴ等を用いてサマータイム対応の時刻表示を行わせようとすると、その切り替わり日時に遅れが生じたり、サマータイム表示が全く行われなかったりするという課題がある。
【００１２】
本発明はこのような課題を解決するためになされたものであり、デジタル放送信号中に含まれるオフセット時間情報を用いて、実際の切り替わりタイミングにできるだけ近いタイミングで正確なサマータイム対応の時刻表示を行えるようにしたデジタル放送受信装置およびデジタル放送受信方法を提供することを目的とする。
【課題を解決するための手段】
【００１３】
上記目的を達成するために、本発明の請求項１に係るデジタル放送受信装置は、時刻情報を含むデジタル放送信号を選局して受信し、トランスポートストリームを出力する受信部と、トランスポートストリームから時刻情報を分離する信号分離部と、分離された時刻情報からオフセット時間情報を抽出するオフセット時間抽出部と、抽出されたオフセット時間情報を用いて時刻表示を制御する表示制御部と、抽出されたオフセット時間情報を放送局ごとに記憶する時間記憶部と、放送局ごとに、抽出されたオフセット時間情報の最新情報と時間記憶部に記憶された直前のオフセット時間情報とを比較し、変化があった場合には変化信号を出力する時間比較部と、を備え、表示制御部は、受信部により選局可能な複数放送局のデジタル放送信号のいずれか１つにおいて変化信号が出力された場合に、サマータイムの開始または終了と判定し、オフセット時間情報をいずれの放送局の受信時においても時刻表示に反映することを特徴とする。
【００１４】
このような構成により、デジタル放送信号中に含まれるオフセット時間情報を用いて、実際の切り替わりタイミングにできるだけ近いタイミングで正確なサマータイム対応の時刻表示を行うことが可能となる。
【００１５】
また本発明の請求項２に係るデジタル放送受信装置は、請求項１に係るデジタル放送受信装置において、表示制御部は、受信部により受信可能な全ての放送局のデジタル放送信号中のいずれか１つにおいて変化信号が検出された場合に、サマータイムが開始または終了したと判定することを特徴とする。
【００１６】
このような構成により、視聴者が特定の放送局のみ選局し、選局された放送局でサマータイムの切り替えが行われなかったり、切り替えタイミングが遅れた場合であっても、最も早くオフセット時間を切り替えた放送局の情報から確実にサマータイムの切り替えタイミングを取得することが可能となる。この際、視聴期間外（例えば、スタンバイ期間）にオフセット時間情報を取得するために周期的に全放送局を選局するようにしてもよい。
【００１７】
また本発明の請求項３に係るデジタル放送受信装置は、請求項１に係るデジタル放送受信装置において、表示制御部は、受信部により受信可能なすくなくとも２つ以上の放送局のデジタル放送信号中において変化信号が検出された場合に、サマータイムが開始または終了したと判定することを特徴とする。
【００１８】
このような構成により、最初にサマータイムに切り替えた放送局のオフセット時間に誤りがあった場合でも、サマータイムの開始または終了を信頼性よく判定することが可能となる。
【００１９】
また本発明の請求項４に係るデジタル放送受信装置は、請求項１〜３のいずれか１項に係るデジタル放送受信装置において、デジタル放送信号の受信地域におけるサマータイム関連情報をあらかじめ記憶させた関連情報記憶部をさらに備え、表示制御部は、オフセット時間抽出部により抽出されたオフセット時間情報が、関連情報記憶部の該当データと矛盾する場合には、オフセット時間情報を用いないことを特徴とする。
【００２０】
このような構成により、ＴＯＴに含まれるサマータイム関連情報が誤っていたとしても、この誤った情報をサマータイム切り替えタイミングの判定に使用しないので、正確なサマータイムの判定および表示が可能となる。
【００２１】
本発明の請求項５に係るデジタル放送受信方法は、時刻情報を含むデジタル放送信号を選局する選局ステップと、時刻情報からオフセット時間情報を抽出するオフセット時間抽出ステップと、抽出されたオフセット時間情報を放送局ごとに記憶する時間記憶ステップと、抽出されたオフセット時間情報の最新情報と時間記憶ステップが記憶した直前のオフセット時間情報とを比較し、変化があった場合には変化信号を出力する時間比較ステップと、選局可能な複数放送局のデジタル放送信号のいずれか１つにおいて変化信号が出力された場合に、サマータイムの開始または終了と判定し、オフセット時間情報をいずれの放送局の受信時においても時刻表示に反映する表示制御ステップと、を含んだことを特徴とする。
【発明の効果】
【００２２】
本発明によれば、デジタル放送信号中に含まれるオフセット時間情報を用いて、実際の切り替わりタイミングにできるだけ近いタイミングで正確なサマータイム対応の時刻表示を行えるデジタル放送受信装置およびデジタル放送受信方法を提供することができる。
【図面の簡単な説明】
【００２３】
【図１】本発明の第１の実施の形態におけるデジタル放送受信装置の構成を示すブロック図である。
【図２】ＴＯＴ（時間オフセットテーブル）の構造を示す図である。
【図３】本発明の第１の実施の形態における地域ごとのオフセット時間の例を示す図である。
【図４】本発明の第１の実施の形態における時間記憶部の記憶内容例を示す図である。
【図５】本発明の第１の実施の形態におけるオフセット時間と表示時刻の遷移を示す図である。
【図６】本発明の第１の実施の形態におけるサマータイムと通常時間の切り替え動作を示すフローチャートである。
【図７】本発明の第２の実施の形態におけるデジタル放送受信装置の構成を示すブロック図である。
【発明を実施するための形態】
【００２４】
以下、本発明の実施の形態におけるデジタル放送受信装置について、図面を参照しながら説明する。
【００２５】
（第１の実施の形態）
図１は、本発明の第１の実施の形態におけるデジタル放送受信装置１００の構成を示すブロック図である。図１に示すように、デジタル放送受信装置１００は、受信部１０１、信号分離部１０２、音声生成部１０３、映像生成部１０４、オフセット時間抽出部１０５、時間比較部１０６、時間記憶部１０７、映像合成部１０８、表示制御部１０９、スピーカ１１０、および表示部１１１を備えている。
【００２６】
受信部１０１は、放送局から放送されるデジタル放送信号を受信するものであり、希望局を選局後、デジタル変調波からトランスポートストリームを復調して信号分離部１０２に出力する。
【００２７】
信号分離部１０２は、受信部１０１から出力されたトランスポートストリームに含まれている音声信号、映像信号およびデータ信号を分離して、それぞれ音声生成部１０３、映像生成部１０４およびオフセット時間抽出部１０５へ出力する。
【００２８】
音声生成部１０３は、信号分離部１０２から出力された音声信号を復号してスピーカ１１０へ出力するものである。これにより、スピーカ１１０から放送番組の音声が出力される。
【００２９】
映像生成部１０４は、信号分離部１０２から出力された映像信号を復号して映像合成部１０８へ出力する。映像合成部１０８は、映像生成部１０４から出力された映像信号と表示制御部１０９によって作成された現在時刻を含む電子番組表等を合成して表示部１１１へ出力するものである。これにより、ＥＰＧを含む番組の映像が表示部１１１に表示される。
【００３０】
信号分離部１０２から出力されるデータ信号には、放送局や放送番組に関する種々の情報（ＰＳＩ）が含まれているが、この中の時刻情報にサマータイム実施時などに必要となるオフセット時間情報が含まれる。オフセット時間抽出部１０５は、このオフセット時間情報をデータ信号中の時刻情報から抽出し、抽出されたオフセット時間情報中のオフセット時間を時間記憶部１０７に保存する。
【００３１】
時間比較部１０６は、時間記憶部１０７に保存された直前のオフセット時間と、オフセット時間抽出部１０５から出力された最新のオフセット時間を比較し、変化があった場合には変化信号を発生し表示制御部１０９に出力する。
【００３２】
表示制御部１０９は、時間比較部１０６から変化信号が入力された場合は、更新されたオフセット時間情報を用いて表示時刻を決定し出力する。出力された表示時刻は映像合成部１０８にて映像生成部１０４から出力された映像信号と合成され、いわゆるオンスクリーン表示として表示部１１１上に時刻表示される。
【００３３】
ここで、オフセット時間情報について、日本のデジタル放送の場合を例にして説明する。前述したように、デジタル放送信号の放送番組の映像音声信号に対して付加的に送られるＰＳＩ（番組特定情報）の中に、ＴＯＴ（時間オフセットテーブル情報）が含まれており、これがオフセット時間情報に該当する。
【００３４】
図２は、ＴＯＴの構造を示す図である。ＴＯＴに含まれる情報のうち、本発明と直接関係する情報について以下に説明する。ＪＳＴ＿ｔｉｍｅ（標準時間）は、現在の日付と時刻を示す現在時刻情報であり、国ごとに１つの標準時刻を有する。このＪＳＴ＿ｔｉｍｅが記述されたＴＯＴを受信部１０１が受信すると、デジタル放送受信装置１００のシステム時刻がＪＳＴ＿ｔｉｍｅで示される時刻に更新される。これにより、デジタル放送受信装置１００は、放送局からの放送に連動した形で、時刻表示や録画予約などの時刻に関係する機能を実現することができる。
【００３５】
サマータイムの開始または終了を通知するために、ＴＯＴにはＬＴＯＤ（Ｌｏｃａｌ  Ｔｉｍｅ  Ｏｆｆｓｅｔ  Ｄｅｓｃｒｉｐｔｏｒ）が含まれている。このＬＴＯＤは、ＪＳＴ＿ｔｉｍｅが示す時刻とサマータイムとの時間差を示す時差情報である。
【００３６】
Ｃｏｕｎｔｒｙ＿ｃｏｄｅ（国コード）は、そのデジタル放送が実施される国に対応した番号が付与される。Ｃｏｕｎｔｒｙ＿ｒｅｇｉｏｎ＿ｉｄ（地域ＩＤ）は、例えば米国やブラジルのように広大な国土を有する国の場合に、その国の中を複数のタイムゾーンに分けて、それぞれ異なる時刻運用を行う場合に、それぞれのタイムゾーンに対して付与される番号である。
【００３７】
Ｌｏｃａｌ＿ｔｉｍｅ＿ｏｆｆｓｅｔ＿ｐｏｌａｒｉｔｙ（オフセット極性）は、オフセット時間を標準時刻に加味するときに、そのオフセット時間分だけ時刻を進めるのか遅らせるのかを示す符号であって、ｌｏｃａｌ＿ｔｉｍｅ＿ｏｆｆｓｅｔ（オフセット時間）およびｎｅｘｔ＿ｔｉｍｅ＿ｏｆｆｓｅｔの極性を指定する１ビットの情報である。ｌｏｃａｌ＿ｔｉｍｅ＿ｏｆｆｓｅｔ＿ｐｏｌａｒｉｔｙが「０」の場合、ＪＳＴ＿ｔｉｍｅに対して時間をオフセット時間分進めることを意味し、「１」のときはＪＳＴ＿ｔｉｍｅに対して時間をオフセット時間分遅らせることを意味する。ｌｏｃａｌ＿ｔｉｍｅ＿ｏｆｆｓｅｔは、ＪＳＴ＿ｔｉｍｅが示す時刻とサマータイムとの時間差（オフセット時間）を示す情報である。オフセット時間が生じる理由の一つは、同一国内において複数のタイムゾーンが存在する場合であり、他の一つはサマータイム運用がされる場合である。
【００３８】
ｔｉｍｅ＿ｏｆ＿ｃｈａｎｇｅは、次の異なるオフセット時間へ変更される日付と時刻を示す。ｎｅｘｔ＿ｔｉｍｅ＿ｏｆｆｓｅｔは、ｔｉｍｅ＿ｏｆ＿ｃｈａｎｇｅで指定された日付と時刻以降に適用される時間差（オフセット時間）を示す情報である。
【００３９】
図３に本実施の形態における複数の時間帯地域（タイムゾーン）を有する国のオフセット時間のテーブル（ＴＯＴ）の例を示す。この例では一つの国に６個の地域ＩＤが存在している。図３の地域１では通常時間でのオフセット時間が、その国の標準時刻に対して１時間進んでおり（＋１：００）、サマータイムについては実施しないので通常時間と同じく１時間進み（＋１：００）のままである。一方、地域３では通常時間でのオフセット時間が、その国の標準時刻と同じなので進み時間は０時間（０：００）、サマータイムについては実施しているので１時間進めて、合計が１時間進みとなる（＋１：００）。また地域６では通常時間でのオフセット時間が、その国の標準時刻より２時間遅れており（−２：００）、サマータイムについては実施しているので１時間進めて、合計が１時間遅れとなる（−１：００）。
【００４０】
表示制御部１０９は、標準時刻と、オフセット極性と、オフセット時間の情報をもとにして表示すべき時刻を決定する。なおＴＯＴは５秒程度の間隔で送出されているので、放送局が内容更新すれば、ほぼ同時にデジタル放送受信装置１００も更新を把握することが可能である。
【００４１】
またデジタル放送受信装置１００は家庭等に設置する際のセットアップ操作の中で、設置場所の登録設定を行うので、どの地域ＩＤのＴＯＴを用いればよいかは、自動的に認識されている。
【００４２】
表示時刻をサマータイムに切り替えたり、逆にサマータイムから通常時間に戻したりするタイミングは、ＴＯＴ中のオフセット時間の変化を時間比較部１０６が検出することにより行われるが、そのためには直前の（前回取得した）オフセット時間を時間記憶部１０７に記憶させておく必要がある。図４は本実施の形態における時間記憶部１０７に記憶させるオフセット時間の例を示す図である。
【００４３】
本実施の形態ではオフセット時間の取得は、受信部１０１で選局、復調可能な複数の放送局のデジタル放送信号より抽出するようにしているので、記憶するオフセット時間も複数の放送局についてリスト形式で記憶させる。図４ではチャンネルＣＨ０１、ＣＨ０２、ＣＨ０５、ＣＨ３２の放送局について、直前のオフセット時間を記憶している様子を示す。チャンネルＣＨ０１、ＣＨ０５、ＣＨ３２の放送局から送られたオフセット時間が＋１時間になっているのに対して、チャンネルＣＨ０２のオフセット時間が０時間になっているのは、この放送局からのＴＯＴが迅速に更新されていないか、あるいは更新の運用が行われていないことが考えられる。
【００４４】
時間比較部１０６は、図４に示したような時間記憶部１０７の直前オフセット時間（前回取得したオフセット時間）と次に抽出される最新オフセット時間とを比較することによって、オフセット時間の更新、すなわちサマータイム期間の開始または終了を検出することになる。
【００４５】
表示制御部１０９がサマータイム切り替わりタイミングを判定する際のオフセット時間の遷移を図５に示す。図５ではチャンネルＣＨ０１、ＣＨ０２によって送られてくる２放送局分のオフセット時間を利用する場合を記載しているが、実際には数チャンネル〜数十チャンネル分の放送局を利用することによってより迅速な判定が可能になる。
【００４６】
サマータイム開始１日前の実時間はまだ通常時間であるので、実際に使用されるべきオフセット時間は「０：００」である（欄（１−１））。チャンネルＣＨ０１の前回記憶値（欄（３−１））、今回受信値（欄（２−１））、およびチャンネルＣＨ０２の前回記憶値（欄（５−１））、今回受信値（欄（４−１））ともまだ「０：００」である。したがって表示もオフセット時間「０：００」が用いられる（欄（６−１））。
【００４７】
サマータイム開始日の実時間は１時間早めるので、本来のオフセット時間は「＋１：００」である（欄（１−２））。チャンネルＣＨ０１の今回受信値は正しいオフセット時間である「＋１：００」が送られてきているので、時間比較部１０６はチャンネルＣＨ０１の前回記憶値「０：００」（欄（３−２））との比較によって差が検出されたので変化信号を出力する。この変化信号を受けて表示制御部１０９は表示時間にオフセット時間「＋１：００」を反映させる（欄（６−２））。チャンネルＣＨ０２のオフセット時間には、この時点でまだサータイム用オフセット時間が設定されておらず、今回受信値は「０：００」のままである（欄（４−２））。しかしながら、本発明では一つの放送局でもオフセット時間を更新したことが検出されれば、それを表示時刻に反映させるように動作させるので、表示時刻をサマータイムに切り替える。
【００４８】
チャンネルＣＨ０２のオフセット時間はサマータイム開始日の２日後になって更新されるが（欄（４−４））、すでに表示制御部１０９はサマータイムに切り替えて表示済みであるので、この変化は用いられない。
【００４９】
次にサマータイムから通常時間に戻る際の遷移について述べる。通常時間開始（復帰）１日前はチャンネルＣＨ０１の今回受信値（欄（２−７））も、チャンネルＣＨ０２の今回受信値（欄（４−７））も「＋１：００」のままであり、したがって表示時刻も「＋１：００」である（欄（６−７））。通常時刻開始日にはチャンネルＣＨ０１の今回受信値は未更新で「＋１：００」のままであるが（欄（２−８））、チャンネルＣＨ０２の今回受信値には更新されたオフセット時間「０：００」が送られているので（欄（４−８））、時間比較部１０６はチャンネルＣＨ０２の前回記憶値「＋１：００」（欄（５−８））との比較によって変化信号を出力し、表示制御部１０９はこれによって表示時刻にオフセット時間「０：００」を反映する（欄（６−８））。
【００５０】
チャンネルＣＨ０１のオフセット時間は通常時間開始日の１日後になって更新されるが（欄（２−９））、すでに表示制御部１０９は通常時間に切り替えて表示済みであるので、この変化は用いられない。
【００５１】
次に、本実施の形態のデジタル放送受信装置１００の上記の動作を図６に示すフローチャートを用いて説明する。まずステップＳ１でデジタル放送局を選局する。その後、ステップＳ２で今回受信したデジタル放送信号に含まれるＴＯＴからオフセット時間情報を抽出する。次にステップＳ３で、このオフセット時間情報より現時点がサマータイムか通常時間かを判定する。ステップＳ３において、現時点がサマータイム状態であると判定された場合（「ＹＥＳ」）は、ステップＳ４に移り、選局した局の前回記憶したオフセット時間と比較し、ステップＳ５でサマータイム完了分の差、すなわちサマータイムから通常時間への復帰に伴うオフセット時間の差（一般的に、−１時間）が生じているかどうかを判定する。サマータイム完了分の差が生じていると判定された場合（「ＹＥＳ」）は、ステップＳ６に移り、現状を通常時間とし、ステップＳ７でそれに応じた表示時刻を設定し、ステップＳ８でステップＳ２で抽出したオフセット時間情報を時間記憶部１０７に記憶する。またステップＳ５でサマータイム完了分の差が生じていないと判定された場合（「ＮＯ」）は、そのまま何もせずにステップＳ７に移ってサマータイムのままの表示を継続し、ステップＳ８においてステップＳ２で抽出したオフセット時間情報を時間記憶部１０７に記憶する。
【００５２】
また、ステップＳ３で通常時間と判定された場合（「ＮＯ」）は、ステップＳ９に移り、選局した局の前回記憶したオフセット時間と比較し、ステップＳ１０でサマータイム開始分の差、すなわち通常時間からサマータイムへの変更に伴うオフセット時間の差（一般的に、＋１時間）が生じているかどうかを判定する。サマータイム開始分の差が生じていると判定された場合（「ＹＥＳ」）は、ステップＳ１１に移り、現状をサマータイムとし、ステップＳ７でそれに応じた表示時刻を設定し、ステップＳ８においてステップＳ２で抽出したオフセット時間情報を時間記憶部１０７に記憶する。またステップＳ１０でサマータイム開始分の差が生じていないと判定された場合（「ＮＯ」）は、そのまま何もせずにステップＳ７に移って通常時間のままの表示を継続し、ステップＳ８においてステップＳ２で抽出したオフセット時間情報を時間記憶部１０７に記憶する。
【００５３】
図６のスタートからエンドでの動作は同じ放送局からのデジタル放送信号を受信している間は、その受信中に周期的に繰り返され、継続的にサマータイムの切り替わりタイミングを検出し続けるものとする。また異なる放送局が選局された場合は、その局についてオフセット時間の記憶、比較、変化の検出を同じ手順で実施する。
【００５４】
オフセット時間の変化の検出は、受信部１０１で選局、復調可能な全ての放送局に対して行うことが、サマータイム切り替えタイミングを確実に早期に検出するのに効果的である。このために、時間記憶部１０７の記憶テーブルは、受信可能な放送局数分を収納できるサイズの記憶容量を用意しておくことが望ましい。また、視聴者の選局にまかせた場合、選局されない放送局があったり、特定の放送局のみが選局される場合も想定されるので、視聴期間外（例えば、スタンバイ期間）にオフセット時間情報を取得するために周期的に全放送局を選局するようにしてもよい。これにより、最も早くオフセット時間を切り替えた放送局の情報から確実にサマータイムの切り替えタイミングを取得することが可能となる。
【００５５】
このように本実施の形態のデジタル放送受信装置１００によれば、デジタル放送信号に含まれているＴＯＴの中のオフセット時間の変化を検出して、サマータイムの開始または終了を判定し、表示時間の設定を行う。また、複数の放送局からデジタル放送信号を受信する際に、オフセット時間の変化が最も早い放送局の情報を使用するので表示時刻を正確かつ迅速にサマータイムに対応させることが可能となる。
【００５６】
なお、本実施の形態では、オフセット時間が最も早く切り替わった放送局のオフセット時間を使用してサマータイムの開始または終了を判定するとしたが、複数の放送局のオフセット時間の切り替わりを待ってサマータイムの開始または終了を判定してもよい。これにより、最初の放送局のオフセット時間に誤りがあった場合でも、サマータイムの開始または終了を信頼性よく判定することが可能となる。
【００５７】
（第２の実施の形態）
次に、本発明の第２の実施の形態におけるデジタル放送受信装置２００について、図７を用いて説明する。図７は、本実施の形態におけるデジタル放送受信装置２００の構成を示すブロック図である。前述したように、ＴＯＴに含まれる各国、各地域におけるサマータイムのオフセット時間やオフセット極性等のサマータイム関連情報は事前に決められている。第１の実施の形態では、サマータイム切り替えタイミングの判定は、一番早くオフセット時間の更新を検出できた放送局のオフセット時間情報に依存しており、もしその情報に誤りがあるとそれを訂正できる機会が存在しない。
【００５８】
そこで本実施の形態では、あらかじめ各国、各地域のサマータイム関連情報をメモリに記録させておき、その内容とＴＯＴから抽出したサマータイム関連情報に矛盾がある場合は、その判定を保留し、次に更新検出できた別の放送局からのオフセット時間を利用するようにしたものである。
【００５９】
図７では、図１に示す構成に、関連情報記憶部１２０が付加されている。この関連情報記憶部１２０には前述した各国、各地域におけるサマータイム関連情報が保存されており、表示制御部１０９における判定結果と照合するよう接続されている。関連情報記憶部１２０の内容とオフセット時間から判定したサマータイムに矛盾がある場合は、その判定を使用せず、その次に時間比較部１０６から出力される変化信号を待って、その変化信号が得られた時点でサマータイムの開始、あるいは終了を判定し、時刻表示に反映させる。
【００６０】
このように本実施の形態のデジタル放送受信装置２００によれば、ＴＯＴに含まれるサマータイム関連情報が誤っていたとしても、この誤った情報をサマータイム切り替えタイミングの判定に使用しないので、正確なサマータイムの判定および表示が可能となる。
【００６１】
以上説明したように、本発明によれば、デジタル放送信号中に含まれるオフセット時間情報を用いて、実際の切り替わりタイミングにできるだけ近いタイミングで、正確なサマータイム対応の時刻表示を行うことが可能なデジタル放送受信装置を提供することができる。
【００６２】
なお、本発明によるサマータイムの時刻表示は、テレビ画面上へのオンスクリーン表示を想定して記載したが、テレビ画面とは独立したディスプレイ部に時刻表示させることも当然可能である。またデジタル放送受信装置がデジタル放送番組の録画機能を備えている場合には、予約録画を実施する際の時刻情報に本発明のサマータイム反映時刻を用いることも可能である。
【産業上の利用可能性】
【００６３】
本発明は、サマータイムが実施されている国、地域でのデジタル放送受信装置において、デジタル放送信号中のオフセット時間情報を利用して、簡単かつ確実にサマータイム反映時刻を表示できるようにしたものであり、通常のデジタル放送受信装置全般に広く適用可能である。
【符号の説明】
【００６４】
１００，２００    デジタル放送受信装置
１０１    受信部
１０２    信号分離部
１０３    音声生成部
１０４    映像生成部
１０５    オフセット時間抽出部
１０６    時間比較部
１０７    時間記憶部
１０８    映像合成部
１０９    表示制御部
１１０    スピーカ
１１１    表示部
１２０    関連情報記憶部
【図１】
2010252130.tif 000003
【図２】
2010252130.tif 000004
【図３】
2010252130.tif 000005
【図４】
2010252130.tif 000006
【図５】
2010252130.tif 000007
【図６】
2010252130.tif 000008
【図７】
2010252130.tif 000009